(57)【要約】【課題】周面から雌ねじ部に至る横溝と傾斜した座面とを有する緩み止めナットを連続して製造することができる緩み止めナットの製造装置を提供すること。【解決手段】ターンテーブル２の外周部にナット１を保持する複数のチャック３を等しい角度間隔に設けるとともに、ターンテーブル２を所定回転位置に固定したとき、複数のチャック３に対応する位置に、パーツフィーダ４からチャック３にナット１を受け渡すナット装着装置５、ナット１の座面１３を斜めに切削する面切削装置６、ナット１に横溝１２を形成する溝切り装置７及びナット１の雌ねじ部１１のカエリを取るカエリ取り装置８を配設する。【選択図】図１
0003121900.tif 000002
【実用新案登録請求の範囲】
【請求項１】
周面から雌ねじ部に至る横溝と傾斜した座面とを有する緩み止めナットの製造装置において、ターンテーブルの外周部にナットを保持する複数のチャックを等しい角度間隔に設けるとともに、前記ターンテーブルを所定回転位置に固定したとき、前記複数のチャックに対応する位置に、パーツフィーダからチャックにナットを受け渡すナット装着装置、ナットの座面を斜めに切削する面切削装置、ナットに横溝を形成する溝切り装置及びナットの雌ねじ部のカエリを取るカエリ取り装置を配設したことを特徴とする緩み止めナットの製造装置。
【請求項２】
チャックに保持されたナットを払い出す放出装置を、各チャックの内部に備えるとともに、該放出装置の駆動機構をターンテーブルの軸部に配設したことを特徴とする請求項１記載の緩み止めナットの製造装置。
【請求項３】
パーツフィーダへナットを供給してから、チャックに保持されたナットを払い出すまで、自動的に行うようにしたことを特徴とする請求項２記載の緩み止めナットの製造装置。
【考案の詳細な説明】
【技術分野】
【０００１】
本考案は、緩み止めナットの製造装置に関し、特に、周面から雌ねじ部に至る横溝と傾斜した座面とを有する緩み止めナットを連続して製造することができる緩み止めナットの製造装置に関するものである。
【背景技術】
【０００２】
従来、自動車や機械等の構造物には、ボルトと共に、それに螺合するナットが大量に使用されている。このナットは、強く締め付けることによって強固に組付くので、締結具として優れた作用効果を発揮するが、振動が加わる箇所に使用すると、その振動によって緩んでしまうという欠点がある。
【０００３】
そこで、この欠点を解消するものとして、図５に示すような緩み止めナットが提案されている（特許文献１参照）。
この緩み止めナット１０は、周面から雌ねじ部１１に至る横溝１２を形成するとともに、座面をわずかに傾斜する傾斜座面１３として形成している。
そして、この緩み止めナット１０は、横溝１２によって振動の伝達を吸収又は遮断するとともに、傾斜座面１３によって振動の伝達を抑制し、かつ被締結物との接触を局部で強固にすることにより、緩み止めをなすようにしている。
ところで、上記緩み止めナット１０は、雌ねじ部１１を形成した通常のナットを加工することにより製作されているが、現状では、手作業に近い工程により１個ずつ製作されるため、単位時間あたりの製造個数が少なくコストが高いという問題を有している。
【特許文献１】特開２００４−１５６６３７号公報
【考案の開示】
【考案が解決しようとする課題】
【０００４】
本考案は、上記従来の緩み止めナットの製造上の問題点に鑑み、周面から雌ねじ部に至る横溝と傾斜した座面とを有する緩み止めナットを連続して製造することができる緩み止めナットの製造装置を提供することを目的とする。
【課題を解決するための手段】
【０００５】
上記目的を達成するため、本考案の緩み止めナットの製造装置は、周面から雌ねじ部に至る横溝と傾斜した座面とを有する緩み止めナットの製造装置において、ターンテーブルの外周部にナットを保持する複数のチャックを等しい角度間隔に設けるとともに、前記ターンテーブルを所定回転位置に固定したとき、前記複数のチャックに対応する位置に、パーツフィーダからチャックにナットを受け渡すナット装着装置、ナットの座面を斜めに切削する面切削装置、ナットに横溝を形成する溝切り装置及びナットの雌ねじ部のカエリを取るカエリ取り装置を配設したことを特徴とする。
【０００６】
ここで、各装置の配設順序は、ナット装着装置、面切削装置、溝切り装置、カエリ取り装置のほか、ナット装着装置、溝切り装置、面切削装置、カエリ取り装置とすることもできる。
【０００７】
この場合において、チャックに保持されたナットを払い出す放出装置を、各チャックの内部に備えるとともに、該放出装置の駆動機構をターンテーブルの軸部に配設することができる。
【０００８】
また、パーツフィーダへナットを供給してから、チャックに保持されたナットを払い出すまで、自動的に行うようにすることができる。
【考案の効果】
【０００９】
本考案の緩み止めナットの製造装置によれば、周面から雌ねじ部に至る横溝と傾斜した座面とを有する緩み止めナットの製造装置において、ターンテーブルの外周部にナットを保持する複数のチャックを等しい角度間隔に設けるとともに、前記ターンテーブルを所定回転位置に固定したとき、前記複数のチャックに対応する位置に、パーツフィーダからチャックにナットを受け渡すナット装着装置、ナットの座面を斜めに切削する面切削装置、ナットに横溝を形成する溝切り装置及びナットの雌ねじ部のカエリを取るカエリ取り装置を配設したことから、ターンテーブルを間欠的に回転させながら、ナットをパーツフィーダからナット装着装置を用いてチャックに保持させるとともに、チャックに保持したナットに、面切削装置、溝切り装置（又は溝切り装置、面切削装置）、カエリ取り装置の順で順次ナットの座面を斜めに切削する面切削加工、ナットに横溝を形成する溝切り加工及びナットの雌ねじ部のカエリを取るカエリ取り加工を施すことができ、これにより、緩み止めナットを自動的に連続して製造し、単位時間あたりの製造個数を増大してそのコストを低減することができる。
【００１０】
また、チャックに保持されたナットを払い出す放出装置を、各チャックの内部に備えるとともに、該放出装置の駆動機構をターンテーブルの軸部に配設することにより、加工終了後にナットをチャックから自動的に放出することができる。
【００１１】
また、パーツフィーダへナットを供給してから、チャックに保持されたナットを払い出すまで、自動的に行うようにすることにより、単位時間あたりの製造個数を一層増大してそのコストを低減することができる。
【考案を実施するための最良の形態】
【００１２】
以下、本考案の緩み止めナットの製造装置の実施の形態を、図面に基づいて説明する。
【実施例１】
【００１３】
図１〜図４に、本考案の緩み止めナットの製造装置の一実施例を示す。
【００１４】
この緩み止めナットの製造装置は、図５に示すように、周面から雌ねじ部１１に至る横溝１２と傾斜した座面１３とを有する緩み止めナット１０を、雌ねじ部１１を形成した通常のナット１を加工することにより製造するためのものである。
【００１５】
緩み止めナットの製造装置は、ターンテーブル２の外周部にナット１を保持する複数のチャック３を等しい角度（本実施例においては、９０゜）間隔に設けるとともに、ターンテーブル２を所定回転位置（本実施例においては、０゜（基準位置）、９０゜、１８０゜及び２７０゜）に固定したとき、複数のチャック３に対応する位置に、パーツフィーダ４からチャック３にナット１を受け渡すナット装着装置５、ナット１の座面１３を斜めに切削する面切削装置６、ナット１に横溝１２を形成する溝切り装置７及びナット１の雌ねじ部１１のカエリを取るカエリ取り装置８を配設するようにしている。
【００１６】
本実施例において、各装置の配設順序は、ナット装着装置５、面切削装置６、溝切り装置７、カエリ取り装置８としているが、このほか、ナット装着装置５、溝切り装置７、面切削装置６、カエリ取り装置８の順にすることもでき、本考案においてこれを排除するものでない。
【００１７】
チャック３は、図４に示すように、エアアクチュエータにより作動するチャック爪３１を有し、図１に示すように、０゜（基準位置）、９０゜、１８０゜及び２７０゜に回転、停止するターンテーブル２の外周部に、９０°間隔で４基配設されている。
各チャック３は、ターンテーブル２の回転により、ナット装着装置５の正面に移動したときに、ナット装着装置５から受け渡されたナット１の上端を保持するようにされている。
【００１８】
パーツフィーダ４は、ホッパー４１に投入された素材のナット（通常の汎用の六角ナット）１を、振動等を利用することにより表裏を選別し、ナット１を表裏の揃えた状態でベルトコンベア４２によりナット装着装置５に送る。
【００１９】
ナット装着装置５は、ベルトコンベア４２を介して送られたナット１を、１個ずつピックアップして、ナット装着装置５の正面に移動してきたチャック３に保持させる。
【００２０】
面切削装置６は、チャック３に保持されたナット１の座面１３を斜めに切削するフライスカッタ６１と、フライスカッタ６１を左右方向（図１において上下方向）に移動させる送り装置６２とを備えている。
フライスカッタ６１は、送り装置６２による移動方向と直交する基準軸Ｌに対して、所定角度θ、例えば、角度θ：１°〜３°回転した状態に設定されており、ターンテーブル２により正面に移動してきたナット１の座面１３を、左右方向に移動しながら傾斜面に切削する。
【００２１】
溝切り装置７は、チャック３に保持されたナット１に横溝１２を形成するチップソー７１と、チップソー７１を昇降させる昇降装置７２とを備えている。
チップソー７１は、ターンテーブル２により正面に移動してきたナット１に対し、上下方向に移動しながら横溝１２を切削、形成する。
【００２２】
カエリ取り装置８は、面切削装置６による切削加工や溝切り装置７による切削加工でナット１の雌ねじ部１１に生じたカエリを取るもので、タップ８１と、タップ８１を前後に移動させながら回転する駆動機構８２とを備えている。
タップ８１は、ターンテーブル２により正面に移動してきたナット１に対し、前後に移動しながら回転し、ナット１の雌ねじ部１１に生じたカエリを取って、雌ねじ部１１を補正する。
さらに、カエリ取り装置８には、必要に応じて、面切削装置６による切削加工や溝切り装置７による切削加工でナット１の外周部に生じたカエリを取るカエリ取りカートリッジを併設し、このカエリ取りカートリッジをタップ８１と共に前後に移動させることにより、ナット１の外周部に生じたカエリを取って、ナット１の外周部を補正することができる。
【００２３】
また、図３に示すように、チャック３に保持されたナット１を払い出す放出装置９のプッシュロッド９２を、各チャック３の内部に備えるとともに、このプッシュロッド９２の駆動機構としてのエアシリンダ９１をターンテーブル２の軸部に固定して配設する。
放出装置９は、カエリ取り装置８によりカエリを取った加工をすべて終了したナット１を、特に限定されるものではないが、カエリ取り装置８に対向する位置で、チャック３による保持を解除した後、放出装置９のエアシリンダ９１のロッド９１ａを伸長させることにより、プッシュロッド９２を介して押し出し、下方に配設されたシュート９３に受容、回収される。
【００２４】
そして、本実施例の緩み止めナットの製造装置は、パーツフィーダ４へ素材のナット１を供給してから、チャック３に保持された加工をすべて終了したナット１を払い出すまで、自動的に行うようにするようにし、これにより、単位時間あたりの製造個数を増大してそのコストを低減することができるようにしている。
【００２５】
かくして、本実施例の緩み止めナットの製造装置は、周面から雌ねじ部１１に至る横溝１２と傾斜した座面１３とを有する緩み止めナットの製造装置において、ターンテーブル２の外周部にナット１を保持する複数のチャック３を等しい角度間隔に設けるとともに、前記ターンテーブル２を所定回転位置に固定したとき、前記複数のチャック３に対応する位置に、パーツフィーダ４からチャック３にナット１を受け渡すナット装着装置５、ナット１の座面１３を斜めに切削する面切削装置６、ナット１に横溝１２を形成する溝切り装置７及びナット１の雌ねじ部１１のカエリを取るカエリ取り装置８を配設したことから、ターンテーブル２を間欠的に回転させながら、ナット１をパーツフィーダ４からナット装着装置５を用いてチャック３に保持させるとともに、チャック３に保持したナット１に、面切削装置６、溝切り装置７（又は溝切り装置７、面切削装置６）、カエリ取り装置８の順で順次ナット１の座面１３を斜めに切削する面切削加工、ナット１に横溝１２を形成する溝切り加工及びナット１の雌ねじ部１１のカエリを取るカエリ取り加工を施すことができ、これにより、緩み止めナットを自動的に連続して製造し、単位時間あたりの製造個数を増大してそのコストを低減することができる。
【００２６】
また、チャック３に保持されたナット１を払い出す放出装置９のプッシュロッド９２を、各チャック３の内部に備えるとともに、該放出装置９の駆動機構としてのエアシリンダ９１をターンテーブル２の軸部に配設することにより、加工終了後にナット１をチャック３から自動的に放出することができる。
【００２７】
また、パーツフィーダ４へ素材のナット１を供給してから、チャック３に保持された加工をすべて終了したナット１を払い出すまで、自動的に行うようにすることにより、単位時間あたりの製造個数を一層増大してそのコストを低減することができる。
【００２８】
以上、本考案の緩み止めナットの製造装置について、その実施例に基づいて説明したが、本考案は上記実施例に記載した構成に限定されるものではなく、その趣旨を逸脱しない範囲において適宜その構成を変更することができる。
【産業上の利用可能性】
【００２９】
本考案の緩み止めナットの製造装置は、周面から雌ねじ部に至る横溝と傾斜した座面とを有する緩み止めナットを連続して製造することができることから、緩み止めナットを量産し製造コストの低減を図ることができる緩み止めナットの製造装置として好適に用いることができる。
【図面の簡単な説明】
【００３０】
【図１】本考案の緩み止めナットの製造装置の一実施例を示す平面図である。
【図２】同正面図である。
【図３】放出装置とチャックを示す縦断面図である。
【図４】チャックの正面図である。
【図５】緩み止めナットを示し、（ａ）は正面図、（ｂ）は平面図である。
【符号の説明】
【００３１】
１    ナット
１０  緩み止めナット
１１  雌ねじ部
１２  横溝
１３  座面
２    ターンテーブル
３    チャック
３１  チャック爪
４    パーツフィーダ
４１  ホッパー
４２  ベルトコンベア
５    ナット装着装置
６    面切削装置
６１  フライスカッタ
６２  送り装置
７    溝切り装置
７１  チップソー
７２  昇降装置
８    カエリ取り装置
８１  タップ
８２  駆動機構
９    放出装置
９１  エアシリンダ
９２  プッシュロッド
９３  シュート
【図１】
0003121900.tif 000003
【図２】
0003121900.tif 000004
【図３】
0003121900.tif 000005
【図４】
0003121900.tif 000006
【図５】
0003121900.tif 000007